(57)【特許請求の範囲】
【請求項１】
舗装基盤上に弾性層を舗装するに際して、基盤層端部の縁石に、板の長手方向に沿い一方の端を連続又は不連続に断面Ｖ字状に突出させた形状の弾性舗装の端末処理用弾性仕切り板を連接・固着し、該仕切り板で仕切られる基盤層上に弾性舗装材を拡げて舗装を行うことを特徴とする弾性舗装の端末処理方法。
【請求項２】
弾性舗装材が、流動性のある弾性舗装材である請求項１記載の弾性舗装の端末処理方法。
【発明の詳細な説明】
【０００１】
【発明の属する技術分野】
本発明は、陸上競技場等の舗装基盤層の上に、弾性層を舗装する際の縁石部分に於ける端末処理方法に関する。
【０００２】
【従来の技術】
従来、グラウンドの基盤上に弾性舗装を行う際、その端末処理は、例えば、特開平４−２０３００３号公報に記載されているように、縁石の外側面の上方をＬ字状に欠いた縁石を、連続的に配置し、縁石側面に型枠用プレートを押し当て、グラウンド表面及び縁石頂面及びＬ字状欠き部分に流動性のある弾性舗装材を拡げて塗布し、この弾性舗装部材の硬化後に型枠用プレートを取り外す方法により行われていた。また、特開平９−４９２０５号公報によれば、上記Ｌ字状切り欠き縁石の側面に弾性仕切り板を固着した後、流動性のある弾性舗装材よりも上方に突き出す部分を切除する方法が提案されている。
【０００３】
しかしながら、特開平４−２０３００３号公報に記載された方法では、型枠用プレートを縁石セグメントに布テープなどで仮止めし、弾性舗装材を流し込み、硬化後に型枠用プレートを取り外していたため、作業が煩雑で端末処理に手間取っていた。また、特開平９−４９２０５号公報に記載の方法によれば、型枠用プレートを必要としないが、予め縁石に特別にＬ字状の切り欠き等の加工を必要としていた。
【０００４】
【発明が解決しようとする課題】
本発明の目的は、上記従来の方法の欠点を克服して、型枠用プレートを使用することなく、また、予め縁石に特別の加工を施すことなく、簡単で手間がかからない端末処理方法を提供することである。
【０００５】
【課題を解決するための手段】
本発明者等は、上記の目的を達成するため種々検討し、弾性舗装に際して、舗装の端末処理に用いる仕切り板として、板の長手方向の一方の端を連続又は不連続に断面Ｖ字状に突出させた形状の弾性仕切り板を考案し、これを一般に舗装止めとして使用されている汎用型の縁石に、該仕切り板を断面Ｖ字状部分で引っかける形で取り付けて固着し、その後、該仕切り板で仕切られる基盤層上に弾性舗装材を塗布又は流して拡げ、弾性舗装材と弾性仕切り板とを一体化させる弾性舗装の端末処理方法を見出した。
すなわち、本願発明は、（１）板の長手方向の一方の端を連続又は不連続に断面Ｖ字状に突出させた形状の弾性仕切り板、
（２）舗装基盤上に弾性層を舗装するに際して、基盤層端部の縁石に上記（１）の弾性仕切り板を連設・固着し、該仕切り板で仕切られる基盤層上に弾性舗装材を拡げて舗装を行うことを特徴とする弾性舗装の端末処理方法、及び
（３）弾性舗装材が、流動性のある弾性舗装材である上記（２）の弾性舗装の端末処理方法、である。
本発明によれば、弾性仕切り板を断面Ｖ字状の部分で縁石に懸崖するので、該仕切り板の縁石への固着作業が、ずれ、ずり落ちがなく安定に，かつ確実に可能である。また、縁石に固着させた弾性仕切り板は、基盤上に弾性仕切り板の上端部に達する厚さにまで施工した弾性舗装材、好ましくは流動性のある弾性舗層材と、断面Ｖ字状の部分の上面及び下面の広い面で固着し、あたかもアンカーを打ち込んだような効果が齎され、硬化後の弾性層と弾性仕切り板との一層の一体化を図ることができる。このように本願発明は、簡易な作業で、かつ優れた効果を奏する弾性舗装の端末処理を行う方法である。
【０００６】
【発明の実施の形態】
以下、本発明を、図面を参照して説明する。
図１は、本願発明の弾性仕切り板の代表的な一例を示すものである。
この弾性仕切り板（１）において、板の長手方向に沿いその一端が連続又は不連続に断面Ｖ字状（２）に突出し形状である。
図２は、一端が断面Ｖ字状（２）に突出した弾性仕切り板の断面を示す図である。
この弾性仕切り板において、断面Ｖ字状（２）に突出した部分の形状は、特に、限定されるものではないが、Ｖ字形状部分の先端の角度が、より鋭角的に突き出でいるほど、縁石に懸崖する作業がゆとりをもって、より容易に、しかも確実に行え、かつ断面Ｖ字状部分（２）の上方面（５）と下方面（６）の合計面積がより広くなるので基盤層の上に施工する弾性舗装材との一体化が向上する。
また、断面Ｖ字状（２）に突出した部分は、板の長手方向に沿い連続している場合のみならず、点線、破線又は鎖線状に断面Ｖ字状でない部分を含んでも良い。すなわち、断面Ｖ字状（２）に突出した部分が不連続である場合であっても良い。
また、仕切り板の内側面（４）（仕切り板が縁石と固着する面）には図２に例示するような窪み（３）を設けて、仕切り板を縁石に固着するときの固着剤の溜まり部を設けて、固着効果を高めることができる。この部分は特に限定するものではなく、所望に応じて適宜の形状及び個所に設けることができる、また、この部分を設けなくても良い。
【０００７】
この弾性仕切り板の材料は、特に限定されるものではないが、例えば、ポリウレタン（好ましくは、２液常温硬化型ポリウレタンエラストマー）、エチレンプロピレン共重合体（ＥＰＤＭ）、スチレンブタジエンゴム（ＳＢＲ）等の各種の弾性を有する材料が用いられる。通常、基盤層上に施工する弾性舗装材として使用する材料と類似または同一の性能を有する材料が互いに相容性を有し、優れた端末処理効果を得るには好ましい。特に、弾性舗装材として好ましく用いられるポリウレタンとの相容性の点で、ポリウレタン系材料が好ましい。
例えば、弾性舗装がポリウレタンエラストマーによる場合、ポリウレタンエラストマーが得られる材料を用いて弾性仕切り板を製造することができる。
通常、図２に示す弾性仕切り板に合わせて製造された型枠に、例えば、２液常温硬化型ポリウレタン材料である主剤と硬化剤を混合し、型枠に流し込んで固化させ、離型して本発明の弾性仕切り板を得る。
弾性仕切り板の材料及び以下に述べる弾性舗装層の材料として、好ましく用いられるポリウレタンエラストマー材料は、２液常温硬化型ポリウレタンエラストマー、例えば、特開昭６−２０６９６４号公報に記載された常温硬化型ウレタンエラストマー、例えば、イソシアナート基を有するウレタンポリマーを主剤とし、必要に応じて、充填剤、触媒、可塑剤、顔料、耐候安定剤、その他を配合した活性水素化合物を硬化剤として用いる２液常温硬化型ポリウレタン、あるいは、既に公知の材料を使用できる。
【０００８】
本発明の弾性舗装の端末処理方法は、図３に例示するように、まずグラウンドやコートを施工する敷地を整地し、その上に砕石層（１２）、コンクリート層（１３）及びモルタル層（１４）を施工する。施工するグラウンドやコートに応じて、その周辺部分に沿って縁石（９）を連続して並べ設置する。設置された縁石の内側に、さらに砕石層（７）、その上に１層以上のコンクリート層又はアスファルト層（８）〜（８’）を重ねて施工する。通常、砕石層（７）上に、所定の舗装材料、通常はアスファルト又はコンクリートを用いて、ほぼ縁石の厚さに施工する。
その後、連続して設置された縁石に、図２に示す弾性仕切り板の内側面（４）に固着剤を塗布して、図３に示すように突出した断面Ｖ字状部分（２）を縁石（９）の角部にあてがって懸崖するようにセットし固着させる。固着剤としては、例えば、エポキシ樹脂系やポリウレタン樹脂系の固着剤が多用される。
【０００９】
十分に固着させた後、弾性仕切り板で仕切られたアスファルト又はコンクリート層（８）上に、弾性層（１０）を形成するに適切な弾性舗装材料を塗布又は流し込んで拡げ施工する。弾性舗装層の厚みはとくに限定されないが、通常、弾性仕切り板の最上端の位置を超えない厚さまで、弾性舗装材料を基盤層上に塗布又は流し込む。
【００１０】
また、弾性層の厚さは、所望の層の厚みが薄く、仕切り板の上端が弾性層からはみ出る場合は、その部分を削り取ること、また、所望の層の厚みを仕切り板を超えて施工する必要がある場合には、弾性仕切り板の上端にテープなどを連続して貼付して仕切りの高さを補足し、弾性材料を塗布又は流し込んで弾性層を施工し、その後テープを取り除く態様も本発明の範囲である。
弾性舗装層の舗装材料としては、弾性を示す舗装材料であれば特に限定はないが、この弾性舗装層と弾性仕切り板との一体化を高めるには、弾性仕切り板に用いた材料と類似又は同一の性能有するものが好ましい。
特に、弾性舗装材料として広く使用され、かつ、好ましい材料であるポリウレタン系弾性舗装材料が好ましく使用される。例えば、前記の弾性仕切り板の材料と同じ２液常温硬化型ポリウレタンエラストマー材料が用いられる。
塗布又は流し込まれた弾性材料は、弾性仕切り板の断面Ｖ字型部分の上下側面で強固に固着し、優れた端末処理効果を得ることができる。
弾性舗装処理工事が終了した後、縁石及び弾性仕切り板の外側に土砂（１１）を埋め戻し、整地・植栽することにより舗装の端末処理を終える。
【００１１】
【実施例】
以下、図面１〜３を参照して、本発明を実施例により説明する。
図２に示す断面の弾性仕切り板の型枠（板の厚さ１０ｍｍ、板の高さ６５ｍｍ、板の長さ１０００ｍｍ、断面Ｖ字状突出部の高さ２２ｍｍ、Ｖ字状部先端の内角６０°、窪みの高さ２５ｍｍ、幅３ｍｍ、深さ３ｍｍ）に、主剤として、Ｐ３０６〔ウレタンプレポリマー、ＮＣＯ含量２．９±０．３ｗｔ％、粘度５５００±５００：三井武田ケミカル社（株）製〕と、硬化剤として、ＴＳＲ８２０ＣＭ〔ウレタン樹脂硬化剤、粘度５０００±１６０００：三井武田ケミカル社（株）製〕を１：１の割合で混合して型枠に流し込み、硬化させて離型し、弾性仕切り板を得た。
グラウンド舗装の施工を想定して、グラウンドの１部分として幅２ｍ、長さ６ｍの長方形の地面を整地し、その上に厚さ１２０ｍｍの砕石層（１２）、厚さ８０ｍｍのコンクリート層（１３）、さらにその上に厚さ３０ｍｍのモルタル層（１４）を施工した。このモルタル層に高さ１５０ｍｍ、幅１５０ｍｍの縁石（９）を短辺１．５ｍ、長辺５ｍの長方形の周辺を形成するように敷き並べた。この縁石で囲まれた長方形の内側に厚さ１９０ｍｍの砕石層（７）を施工し、次いで、その上に厚さ４０ｍｍ及び３０ｍｍのアスファルト層を重ねて２度打ちしアスファルト層（８）〜（８’）を施工した。
次いで、連設した縁石の外側に、上記で得られた弾性仕切り板の内側面（４）に固着剤（サマリープライマー：三井化学社製エポキシ系接着剤）を塗布し、縁石に仕切り板の断面Ｖ字状突出部を懸崖するように連続して取り付けて固着し、硬化するまで放置した。仕切り板が縁石に固着した後、更に、上記のポリウレタンエラストマーの材料を混合し、アスファルト層（８）上に、弾性舗装材が弾性仕切り板の上端を超えない範囲で流し込み、広げ、その後硬化させた。硬化後、弾性仕切り板及び縁石の外側に土砂を埋め戻し、芝を植えた。
硬化後の舗装端末の全域に渡り、観察を続けた。６ケ月を経過しても、仕切り板の接着、弾性層の剥がれはなく、また夏季の芝の成長期に合わせて試験した本実施例の舗装端末には、成長する植物の根が成長して仕切り板と縁石、各層の間に侵入することによる弊害は全く認められなかった。
【００１２】
【発明の効果】
本発明の方法は、舗装端末処理に用いる弾性仕切り板と弾性舗装層が一体となって施工される方法であり、従来の端末処理のように型枠用プレートを用いないので、型枠用プレートの設置及び取り外し工程を必要としない。また、縁石の加工が不要であるなど公知の舗装端末処理に比べ利点を有する。
また、弾性仕切り板の突出部の上方及び下方面のより広い面で弾仕切り板と弾性舗装層との一体化が計れ、下方面に弾性舗装材が食い込んで硬化するために、施工後の剥離などの不具合を防ぐことができる。
弾性仕切り板の断面Ｖ字状部分が傾斜面を有しているために、縁石角部との懸崖にあたり、ゆとりをもつて、かつ、ずれることなく固着できるために、縁石との接着作業が容易である。
【図面の簡単な説明】
【図１】  本発明の弾性仕切り板の一例を示す図である。
【図２】  弾性仕切り板の断面を示す図である。
【図３】  弾性仕切り板を用いて行う弾性舗装層の施工例を示す図である。
【符号の説明】
（１）弾性仕切り板
（２）Ｖ字状突出部
（３）窪み
（４）弾性仕切り板の内側面
（５）Ｖ字状突出部の上方面
（６）Ｖ字状突出部の下方面
（７）縁石内側の砕石層
（８）縁石内側のコンクリート又はアスファルト層
（９）縁石
（１０）弾性層
（１１）土砂
（１２）縁石下の砕石層
（１３）縁石下のコンクリート層
（１４）縁石下のモルタル層
【図１】
0004014394.tif 000002
【図２】
0004014394.tif 000003
【図３】
0004014394.tif 000004